(57)【要約】      （修正有）【課題】傷が大きくても傷全体に接触することが可能であり、また、傷に保護材粘着テープが接触しないばんそうこうを提供する。【解決手段】ばんそうこうは、保護材と体表面粘着テープと保護材粘着テープを備えている。保護材は、一方の面に保護材第一表面を有し、他方の面に保護材第二表面を有する。体表面粘着テープは、一方の面に体表面粘着テープ第一表面を有し、他方の面に体表面粘着テープ第二表面を有し、体表面粘着テープ第二表面には、粘着剤が塗られている。保護材粘着テープは、一方の面に保護材粘着テープ第一表面を有し、他方の面に保護材粘着テープ第二表面を有し、保護材粘着テープ第二表面には、粘着剤が塗られている。【選択図】なし【特許請求の範囲】
【請求項１】
体表面の傷に貼るためのばんそうこうであって、  
保護材と体表面粘着テープと保護材粘着テープを備えており、
前記保護材は、一方の面に保護材第一表面を有し、他方の面に保護材第二表面を有し、
前記体表面粘着テープは、一方の面に体表面粘着テープ第一表面を有し、他方の面に体表面粘着テープ第二表面を有し、前記体表面粘着テープ第二表面には、粘着剤が塗られており、
前記保護材粘着テープは、一方の面に保護材粘着テープ第一表面を有し、他方の面に保護材粘着テープ第二表面を有し、前記保護材粘着テープ第二表面には、粘着剤が塗られており、
前記体表面粘着テープと前記保護材は、前記体表面粘着テープ第二表面と前記保護材第一表面が係着することによって係合し、
前記保護材粘着テープと前記保護材は、前記保護材粘着テープ第二表面と前記保護材第一表面が係着することによって係合することを特徴とするばんそうこう。
【請求項２】
前記粘着剤は、のり、あるいは、接着剤であることを特徴とする請求項１に記載のばんそうこう。
【請求項３】
前記保護材は、キッチンペーパーで形成されていることを特徴とする請求項１、あるいは、請求項２のうちの１つに記載のばんそうこう。
【請求項４】
前記保護材粘着テープを２以上有することを特徴とする請求項１、ないしは、請求項３のうちの１つに記載のばんそうこう。
【請求項５】
前記体表面粘着テープのうち前記保護材と係合していない部分は小さいことを特徴とする請求項１、ないしは、請求項４のうちのいずれか１つに記載のばんそうこう。
【請求項６】
被着材が被着していることを特徴とする請求項１、あるいは、請求項５のうちのいずれか１つに記載のばんそうこう。
【請求項７】
前記被着材は、ネットであることを特徴とする請求項６に記載のばんそうこう。
【発明の詳細な説明】
【技術分野】
【０００１】
本発明は、体表面にできた傷に物が触れることを防止するためのばんそうこうに関する。
【背景技術】
【０００２】
体表面に傷ができた際には、体表面にできた傷に物が直接接触しないようにしたり、傷にばい菌が付着しないようにするために、体表面にできた傷にばんそうこうを貼ることがある。
ばんそうこうは、傷に接触させるための保護材と保護材を体表面に係着するための保護材粘着テープで構成されている場合が多い。
しかし、従来のばんそうこうは、保護材粘着テープのほうが、保護材よりも、はるかに大きかったので、傷の面積が大きいと従来のばんそうこうでは、保護材を傷の全体に接触させることができなかったり、保護材粘着テープが傷に接触することがあった。
【０００３】
背景技術には、特許文献１がある。
特許文献１に示すばんそうこうは、保護材粘着テープのほうが、保護材よりも、はるかに大きいので、傷が大きいと、保護材を傷の全体に接触させることができなかったり、保護材粘着テープが傷に接触することがある。
【０００４】
【特許文献１】特許公開平６−７８９４８公報
【発明の開示】
【発明が解決しようとする課題】
【０００５】
本発明は、傷が大きくても傷全体に接触することができるばんそうこうを提供することを目的とする。
【課題を解決するための手段】
【０００６】
上記課題を解決するために、本発明のばんそうこうは、保護材と体表面粘着テープと保護材粘着テープを備えている。
保護材は、一方の面に保護材第一表面を有し、他方の面に保護材第二表面を有する。
体表面粘着テープは、一方の面に体表面粘着テープ第一表面を有し、他方の面に体表面粘着テープ第二表面を有し、体表面粘着テープ第二表面には、粘着剤が塗られている。
保護材粘着テープは、一方の面に保護材粘着テープ第一表面を有し、他方の面に保護材粘着テープ第二表面を有し、保護材粘着テープ第二表面には、粘着剤が塗られている。
体表面粘着テープと保護材は、体表面粘着テープ第二表面と保護材第一表面が係着することによって係着する。
保護材粘着テープと保護材は、保護材粘着テープ第二表面と保護材第一表面が係着することによって係着する。
【０００７】
保護材は、布、ガーゼ、紙などで形成されている。
体表面粘着テープは、体表面粘着テープ第二表面に粘着剤が塗られている医療用の粘着テープである。
保護材粘着テープは、保護材粘着テープ第二表面に粘着剤が塗られている医療用の粘着テープである。
ただし、体表面粘着テープは、体表面粘着テープ第二表面に粘着剤が塗られていれば医療用の粘着テープではなくてもよく、また、体表面粘着テープ第一表面にも粘着剤が塗られていてもよい。
また、保護材粘着テープは、保護材粘着テープ第二表面に粘着剤が塗られていれば医療用の粘着テープではなくてもよく、また、保護材粘着テープ第一表面にも粘着剤が塗られていてもよい。
粘着剤には、のりや接着剤がある。
【発明の効果】
【０００８】
本発明のばんそうこうは、傷が大きくても傷全体に接触させることができる。
【発明を実施するための最良の形態】
【０００９】
図面に基づいて発明を実施するための最良の形態を説明する。
【実施例１】
【００１０】
実施例１のばんそうこう１は、図１(ａ)(ｂ)、図２(ａ)(ｂ)、図３(ａ)(ｂ)(ｃ)に示すように、保護材２と体表面粘着テープ３と保護材粘着テープ４を備えている。
保護材２は、図４(ａ)(ｂ)(ｃ)(ｄ)に示すように、一方の面に保護材第一表面２ａを有し、他方の面に保護材第二表面２ｂを有する。
体表面粘着テープ３は、図５(ａ)(ｂ)(ｃ)(ｄ)に示すように、一方の面に体表面粘着テープ第一表面３ａを有し、他方の面に体表面粘着テープ第二表面３ｂを有し、体表面粘着テープ第二表面３ｂには、粘着剤が塗られている。
保護材粘着テープ４は、図５(ｅ)(ｆ)(ｇ)(ｈ)に示すように、一方の面に保護材粘着テープ第一表面４ａを有し、他方の面に保護材粘着テープ第二表面４ｂを有し、保護材粘着テープ第二表面４ｂには、粘着剤が塗られている。
体表面粘着テープ３と保護材２は、図６(ａ)(ｂ)に示すように、体表面粘着テープ第二表面３ｂと保護材第一表面２ａが係着することによって係着する。
保護材粘着テープ４と保護材２は、図６(ａ)(ｂ)に示すように、保護材粘着テープ第二表面４ｂと保護材第一表面２ａが係着することによって係着する。
【００１１】
保護材２は、布、ガーゼ、紙などで形成されている。
体表面粘着テープ３は、体表面粘着テープ第二表面３ｂに粘着剤が塗られている医療用の粘着テープである。
保護材粘着テープ４は、保護材粘着テープ第二表面４ｂに粘着剤が塗られている医療用の粘着テープである。
ただし、体表面粘着テープ３は、体表面粘着テープ第二表面３ｂに粘着剤が塗られていれば医療用の粘着テープではなくてもよく、また、体表面粘着テープ第一表面３ａにも粘着剤が塗られていてもよい。
また、保護材粘着テープ４は、保護材粘着テープ第二表面４ｂに粘着剤が塗られていれば医療用の粘着テープではなくてもよく、また、保護材粘着テープ第一表面４ａにも粘着剤が塗られていてもよい。
粘着材には、のりや接着剤がある。
【００１２】
保護材２は、キッチンペーパー７で形成されていていてもよい。
キッチンペーパー７とは、天然パルプから形成されている紙であり、紙に含まれる。
キッチンペーパー７は、図７(ａ)(ｂ)(ｃ)(ｄ)に示すように、一方の面にキッチンペーパー第一表面７ａを有し、他方の面にキッチンペーパー第二表面７ｂを有する。
【００１３】
キッチンペーパー７は、吸水性を高めるために、図７(ａ)(ｂ)(ｅ)、図８(ａ)(ｂ)(ｃ)に示すように、凹部７ｃが、キッチンペーパー第一表面７ａ、および、キッチンペーパー第二表面７ｂに多数形成されていることが多い。
凹部７ｃは、保護材２の内部に形成されており、図７(ａ)(ｂ)(ｅ)、図８(ａ)(ｂ)(ｃ)に示すように、キッチンペーパー第一表面７ａ、および、キッチンペーパー第二表面７ｂに開口部を有する。  
凹部７ｃの開口部の形状は、図７(ａ)(ｂ)(ｅ)、図８(ａ)(ｂ)(ｃ)では、略円形形状であるが、凹部７ｃの開口部の形状は、略円形形状は限られず、略楕円形形状、略正方形形状、略長方形形状、略三角形形状など、ありとあらゆる多角形形状あり、また、略直線形状、略円弧形状など、ありとあらゆる線形形状がある。
【００１４】
体表面粘着テープ３とキッチンペーパー７は、図７(ｅ)に示すように、体表面粘着テープ第二表面３ｂとキッチンペーパー第一表面７ａが係着することによって係着する。
保護材粘着テープ４とキッチンペーパー７は、図７(ｅ)に示すように、保護材粘着テープ第二表面４ｂとキッチンペーパー第一表面７ａが係着することによって係着する。
【００１５】
キッチンペーパー７は、破れたり、切れやすいので、キッチンペーパー７は、破れたり、切れたりしないようにするために、図８(ａ)(ｂ)に示すように、キッチンペーパー７を２つ折りにして、図８(ｃ)に示すように、体表面粘着テープ３と保護材粘着テープ４をキッチンペーパー７に係合してもよい。
図８(ａ)(ｂ)(ｃ)では、キッチンペーパー７は、破れたり、切れたりしないようにするために、２つ折りにしているが、キッチンペーパー７は、３つ折り以上にしてもよい。
キッチンペーパー７は、３つ折り以上にすると、キッチンペーパー７は、２つ折りにするよりも、破れたり、切れにくくなる。
【００１６】
体表面粘着テープ３のうち保護材２と係着していない部分３１は、図９(ａ)(ｂ)(ｃ)(ｄ)に示すように、小さくてもよい。
体表面粘着テープ３は、保護材２と係合すると、図９(ａ)(ｂ)(ｃ)(ｄ)に示すように、体表面粘着テープ３のうち保護材２と係着していない部分３１と体表面粘着テープ３のうち保護材２と係着している部分３２が生じる。
保護材粘着テープ４も、保護材２と係合すると、図９(ａ)(ｂ)に示すように、保護材粘着テープ４のうち保護材２と係着していない部分４１と体表面粘着テープ３のうち保護材２と係着している部分４２が生じる。
図９(ｃ)(ｄ)に示すように、体表面粘着テープ３のうち保護材２と係着していない部分３１の長辺方向の長さはＬ１であり、体表面粘着テープ３のうち保護材２と係着していない部分３１の短辺方向の長さはＬ２である。
体表面粘着テープ３のうち保護材２と係着していない部分３１の面積については、体表面粘着テープ３のうち保護材２と係着していない部分３１の長辺方向の長さL１を０．１メートルにして、体表面粘着テープ３のうち保護材２と係着していない部分３１の短辺方向の長さL２を０．０５メートルにして、体表面粘着テープ３のうち保護材２と係着していない部分３１の面積を０．００５平方メートルにしてもよい。
ただし、体表面粘着テープ３のうち保護材２と係着していない部分３１の長辺方向の長さL１、体表面粘着テープ３のうち保護材２と係着していない部分３１の短辺方向の長さL２、および、体表面粘着テープ３のうち保護材２と係着していない部分３１の面積はこれに限られるものではない。
【００１７】
体表面粘着テープ３のうち保護材２と係着していない部分３１の形状は、図９(ａ)(ｂ)(ｃ)(ｄ)では、略長方形形状ではあるが、体表面粘着テープ３のうち保護材２と係着していない部分３１の形状は、図１０(ａ)に示すような略正方形形状、図１０(ｂ)に示すような略半円形形状、図１０(ｃ)に示すような略三角形形状などありとあらゆる多角形形状がある。
【００１８】
保護材粘着テープ４は、保護材２に２つ以上係着していてもよい。
保護材粘着テープ４は、図１１(ａ)(ｂ)、図１２(ａ)(ｂ)、図１３(ａ)(ｂ)(ｃ)(ｄ)では、保護材２に２つ係着している。
ただし、保護材粘着テープ４は、保護材２に３つ以上係着していてもよい。
【００１９】
実施例１のばんそうこう１の使用方法について説明する。
実施例１のばんそうこう１は、体表面のどこにできた傷にも使用可能ではあるが、実施例１のばんそうこう１の使用方法は、図１４(ａ)に示すように、右手首５の右手首内側５ａに傷６に装着する場合を例にとって説明する。
図１４(ｂ)(ｃ)に示すように、保護材第二表面２ｂを傷６に接触させる。
図１４(ｄ)に示すように、体表面粘着テープ３のうち保護材２と係着していない部分３１の体表面粘着テープ第二表面３ｂ側の面を右手首外側５ｂに係着することによって、体表面粘着テープ３と右手首外側５ｂを係合する。
図１４(ｅ)に示すように、保護材粘着テープ４のうち保護材２と係着していない部分４１の保護材粘着テープ第二表面４ｂ側の面を保護材第一表面２ａに係着することによって、保護材粘着テープ４のうち保護材２と係着していない部分４１と保護材２を係合する。
図１４(ｅ)に示すように、保護材粘着テープ４のうち保護材２と係着していない部分４１と保護材２が係合すれば、実施例１のばんそうこう１は、右手首５に装着される。
実施例１のばんそうこう１は、右手首５に装着されると右手首５から離脱しにくくなるので、実施例１のばんそうこう１は、傷６が大きくても傷６の全体に接触した状態を長時間維持することができる。
【００２０】
また、実施例１のばんそうこうは、図１４(ｄ)に示すように、体表面粘着テープ３のうち保護材２と係着していない部分３１の体表面粘着テープ第二表面３ｂ側の面を右手首外側５ｂに係着することによって、体表面粘着テープ３と右手首外側５ｂを係合した後に、図１４(ｅ)に示すように、保護材粘着テープ４のうち保護材２と係着していない部分４１の保護材粘着テープ第二表面４ｂ側の面を保護材第一表面２ａに係着することによって、保護材粘着テープ４と保護材２を係合するすることによって、体表面に装着する。
このため、図１４(ａ)に示すように、右手首５に傷６ができた際など、一方の手でばんそうこうを体表面に貼らないといけない際にも、片方の手だけで、実施例１のばんそうこうを容易に体表面に装着することができる。
【００２１】
体表面粘着テープ３が傷６の近傍に係着されていると、ばんそうこう１を体表面から離脱する際に、傷が引っ張られて痛みを感じることがある。
しかし、実施例１のばんそうこう１を使用して、体表面粘着テープ３を傷６から離れたところに係着すれば、実施例１のばんそうこう１を体表面から離脱する際に、傷６が引っ張られないことによって、実施例１のばんそうこう１を体表面から離脱する際に、痛みを感じないようにすることもできる。
【００２２】
図７(ａ)(ｂ)(ｃ)(ｄ)(ｅ)、図８(ａ)(ｂ)(ｃ)に示すように、保護材２がキッチンペーパー７で形成されていれば、保護材２の吸水性をより高めることができる。
【００２３】
図９(ａ)(ｂ)(ｃ)(ｄ)、図１０(ａ)(ｂ)(ｃ)に示すように、体表面粘着テープ３のうち保護材とは係着していない部分３１を小さくすれば、体表面粘着テープ３を右手首５に装着した際に、体表面粘着テープ３を装着した際の不快感を少なくすることができる。
【００２４】
図１１(ａ)(ｂ)、図１２(ａ)(ｂ)、図１３(ａ)(ｂ)(ｃ)(ｄ)に示すように、保護材粘着テープ４は、保護材２に２つ以上係着していれば、保護材粘着テープ４は、保護材２に１つ以上係着しているよりも体表面から離脱しにくくなる。
【実施例２】
【００２５】
実施例２のばんそうこう１は、実施例１のばんそうこう１の変形例である。
実施例２のばんそうこう１には、実施例１のばんそうこう１に被着材が係着されている点が、実施例１のばんそうこう１とは異なる。
被着材には、図１５(ａ)(ｂ)(ｃ)(ｄ)に示すネット８がある。
また、被着材には、図１５(ａ)(ｂ)(ｃ)(ｄ)に示すネット８のほかに包帯やバンダナなどがある。
【００２６】
ネット８は、図１５(ａ)(ｂ)(ｃ)(ｄ)に示すように、ネット表面８ａとネット第一端部８ｂとネット第二端部８ｃを備えている。
ネット表面８ａは、図１５(ａ)に示すように、ネット８の側縁部に形成されているとともに、図１５(ｂ)に示すように、外表面にネット外表面８ａａを有しており、内表面にネット内表面８ａｂを有している。
ネット第一端部８ｂは、図１５(ｃ)に示すように、ネット８の一方の端部に形成されており、ネット第二端部８ｃは、図１５(ｄ)に示すように、ネット８の他方の端部に形成されている。
【００２７】
ネット８と実施例１とばんそうこう１は、図１６(ａ)(ｂ)(ｃ)に示すように、ネット内表面８ａｂは、保護材第一表面２ａ、および、保護材第一表面２ａと係着することによって係合する。
ネット８と実施例１とばんそうこう１が係合した際には、ネット内表面８ａｂは、保護材粘着テープ第一表面４ａと係着することもある。
図１６(ａ)(ｂ)(ｃ)では、実施例１のばんそうこう１を右手首５に装着した後に、ネット８を実施例１のばんそうこう１に係合している。
ただし、実施例１のばんそうこう１は、右手首５には限らず、体表面のありとあらゆる部分にできた傷に使用することができる。
【００２８】
実施例１のばんそうこう１を体表面に装着した後に、ネット８を実施例１のばんそうこう１に係合すれば、実施例１のばんそうこう１は、体表面粘着テープ３で体表面に係合して、さらに、ネット８で体表面に係合されるので、体表面からより離脱しにくくなる。
【図面の簡単な説明】
【００２９】
【図１】(ａ)本発明のばんそうこうを保護材第一表面方向から見た斜視図である。(ｂ)本発明のばんそうこうを保護材第二表面方向から見た斜視図である。
【図２】(ａ)本発明のばんそうこうを保護材第一表面方向から見た平面図である。(ｂ)本発明のばんそうこうを保護材第二表面方向から見た平面図である。
【図３】(ａ)本発明のばんそうこうを体表面粘着テープが係着している方向から見た側面図である。(ｂ)本発明のばんそうこう保護材粘着テープが係着している方向から見た側面図である。(ｃ)本発明のばんそうこうの右側面図である。(ｄ)本発明のばんそうこうの左側面図である。
【図４】(ａ)保護材を保護材第一表面方向から見た平面図である。(ｂ)保護材を保護材第二表面方向から見た平面図である。(ｃ)保護材を短辺方向から見た側面図である。(ｄ)保護材を長辺方向から見た側面図である。
【図５】(ａ)体表面粘着テープを体表面粘着テープ第一表面方向から見た平面図である。(ｂ)体表面粘着テープを体表面粘着テープ第二表面方向から見た平面図である。(ｃ)体表面粘着テープを短辺方向から見た側面図である。(ｄ)体表面粘着テープを長辺方向から見た側面図である。(ｅ)保護材粘着テープを保護材粘着テープ第一表面方向から見た平面図である。(ｆ)保護材粘着テープを保護材粘着テープ第二表面方向から見た平面図である。(ｇ)保護材粘着テープを短辺方向から見た側面図である。(ｄ)保護材粘着テープを長辺方向から見た側面図である。
【図６】(ａ)保護材第一表面方向から見た体表面粘着テープと保護材粘着テープが保護材に係合する状態を示した斜視図である。(ｂ)保護材第二表面方向から見た体表面粘着テープと保護材粘着テープが保護材に係合する状態を示した斜視図である。
【図７】(ａ)キッチンペーパーをキッチンペーパー第一表面方向から見た斜視図である。(ｂ)キッチンペーパーをキッチンペーパー第二表面方向から見た斜視図である。(ｃ)キッチンペーパーを短辺方向から見た側面図である。(ｄ)キッチンペーパーを長辺方向から見た側面図である。(ｅ)キッチンペーパー第一表面方向に体表面粘着テープと保護材粘着テープが係着した状態を示す斜視図である。
【図８】(ａ)折り畳む前のキッチンペーパーを示す斜視図である。(ｂ)キッチンペーパーを２つ折りにした状態を示す斜視図である。(ｃ)２つ折りにしたキッチンペーパーのキッチンペーパー第一表面に体表面粘着テープと保護材粘着テープが係着した状態をキッチンペーパー第一表面方向から見た斜視図である。
【図９】(ａ)小さな体表面粘着テープが保護材に係着している本発明のばんそうこうを保護材第一表面方向から見た平面図である。(ｂ)小さな体表面粘着テープが保護材に係着している本発明のばんそうこうを保護材第二表面方向から見た平面図である。(ｃ)小さな体表面粘着テープが保護材に係着している本発明のばんそうこうを保護材第一表面方向から見た一部拡大平面図である。(ｄ)小さな体表面粘着テープが保護材に係着している本発明のばんそうこうを保護材第二表面方向から見た一部拡大平面図である。
【図１０】(ａ)保護材粘着テープのうち保護材に係合していない部分の形状が略正方形形状である本発明のばんそうこうを保護材第一表面方向から見た一部拡大平面図である。(ｂ)保護材粘着テープのうち保護材に係合していない部分の形状が略半円形形状である本発明のばんそうこうを保護材第一表面方向から見た一部拡大平面図である。(ｃ)保護材粘着テープのうち保護材に係合していない部分の形状が略三角形形状である本発明のばんそうこうを保護材第一表面方向から見た一部拡大平面図である。
【図１１】(ａ)体表面粘着テープが保護材に２つ係合している本発明のばんそうこうを保護材第一表面方向から見た斜視図である。(ｂ)体表面粘着テープが保護材に２つ係合している本発明のばんそうこうを保護材第二表面方向から見た斜視図である。
【図１２】(ａ)体表面粘着テープが保護材に２つ係合している本発明のばんそうこうを保護材第一表面方向から見た平面図である。(ｂ)体表面粘着テープが保護材に２つ係合している本発明のばんそうこうを保護材第二表面方向から見た平面図である。
【図１３】(ａ)体表面粘着テープが保護材に２つ係合している本発明のばんそうこうを体表面粘着テープが係着している方向から見た側面図である。(ｂ)体表面粘着テープが保護材に２つ係合している本発明のばんそうこう保護材粘着テープが係着している方向から見た側面図である。(ｃ)体表面粘着テープが保護材に２つ係合している本発明のばんそうこうの右側面図である。(ｄ)体表面粘着テープが保護材に２つ係合している本発明のばんそうこうの左側面図である。
【図１４】(ａ)右手首の内側に傷ができていることを示す図である。(ｂ)右手首の傷ができている方向から右手首にできた傷に本発明のばんそうこうを接触させた状態を示す図である。(ｃ)右手首の傷ができていない方向から右手首にできた傷に本発明のばんそうこうを接触させた状態を示す図である。(ｄ)体表面粘着テープを右手首に係着させた状態を示す図である。(ｅ)保護材粘着テープのうち保護材に係合していない部分を保護材粘着テープに係着した状態を示す図である。
【図１５】(ａ)ネットの側面図である。(ｂ)ネットの断面正面図である。(ｃ)ネット第一端部から見たネットの正面図である。(ｄ)ネット第二端部から見たネットの正面図である。
【図１６】(ａ)右手首のきずができていない方向から本発明のばんそうこう１にネットが係合した状態を示す図である。(ｂ)右手首外側から本発明のばんそうこう１にネットが係合した状態を示す図である。(ｃ)右手首内側から本発明のばんそうこう１にネットが係合した状態を示す一部拡大図である。
【符号の説明】
【００３０】
１      ばんそうこう
２      保護材
２ａ    保護材第一表面
２ｂ    保護材第二表面
３      体表面粘着テープ
３ａ    体表面粘着テープ第一表面
３ｂ    体表面粘着テープ第二表面
３１    体表面粘着テープのうち保護材と係着していない部分
３２    体表面粘着テープのうち保護材と係着している部分
４      保護材粘着テープ
４ａ    保護材粘着テープ第一表面
４ｂ    保護材粘着テープ第二表面
４１    保護材粘着テープのうち保護材と係着していない部分
４２    保護材粘着テープのうち保護材と係着している部分
５      右手首
５ａ    右手首内側
５ｂ    右手首外側
６      傷
７      キッチンペーパー
７ａ    キッチンペーパー第一表面
７ｂ    キッチンペーパー第二表面
７ｃ    凹部
８      ネット
８ａ    ネット表面７
８ａａ  ネット外表面
８ａｂ  ネット内表面
８ｂ    ネット第一端部７ｂ
８ｃ    ネット第二端部７ｃ
【図１】
2013123519.tif 000002
【図２】
2013123519.tif 000003
【図３】
2013123519.tif 000004
【図４】
2013123519.tif 000005
【図５】
2013123519.tif 000006
【図６】
2013123519.tif 000007
【図７】
2013123519.tif 000008
【図８】
2013123519.tif 000009
【図９】
2013123519.tif 000010
【図１０】
2013123519.tif 000011
【図１１】
2013123519.tif 000012
【図１２】
2013123519.tif 000013
【図１３】
2013123519.tif 000014
【図１４】
2013123519.tif 000015
【図１５】
2013123519.tif 000016
【図１６】
2013123519.tif 000017